(57)【要約】【課題】光源モジュールを容易に着脱することができる照明装置を提供することである。【解決手段】実施形態に係る照明装置は、光源収納枠を有し、係止孔が設けられた本体と、本体に設けられ、建物の天井に設けられたバー状部材の下側保持部に載せるフランジ部と、光源収納枠の内側に設けられた光源モジュールと、光源モジュールに設けられ、係止孔に係止させたときの本体からの突出寸法が、フランジ部の本体からの突出寸法よりも短い係止体と、を備えている。【選択図】図２０
2014011062.tif 000002
【特許請求の範囲】
【請求項１】
光源収納枠を有し、係止孔が設けられた本体と；
前記本体に設けられ、建物の天井に設けられたバー状部材の下側保持部に載せるフランジ部と；
前記光源収納枠の内側に設けられた光源モジュールと；
前記光源モジュールに設けられ、前記係止孔に係止させたときの前記本体からの突出寸法が、前記フランジ部の前記本体からの突出寸法よりも短い係止体と；
を具備した照明装置。
【請求項２】
前記光源収納枠の内側における前記光源モジュールの発光面側に設けられたバッフル部材と；
前記バッフル部材に設けられ、前記係止孔に係止させたときの前記本体からの突出寸法が、前記フランジ部の前記本体からの突出寸法よりも短い前記係止体と；
をさらに具備し、
前記バッフル部材は、
複数のスリットを有するバッフル支持部と、
前記バッフル支持部の前記スリットに設けられ、前記光源モジュールの長手方向に互いに離間して並んだ複数の板状のバッフルと、
を有する請求項１記載の照明装置。
【請求項３】
前記係止孔は、
前記係止体の係止される部分の断面寸法よりも長い寸法を有する係止部と、
前記係止部の寸法よりも長い寸法を有する挿入部と、
を有する請求項１または２に記載の照明装置。
【請求項４】
前記係止孔は、
前記本体の高さ方向に所定の間隔をあけて設けられた複数の前記係止部と、
前記複数の係止部と前記本体の高さ方向に直交する方向に離間させて設けられた前記挿入部と、
前記複数の係止部と前記挿入部とをそれぞれ繋ぐ複数の連結部と、
を有する請求項１〜３のいずれか１つに記載の照明装置。
【請求項５】
前記係止体は、
前記係止孔に係止させる突出部と、
前記突出部を突出させる付勢部と、
前記突出部に設けられたつまみと、
を有する請求項１〜４のいずれか１つに記載の照明装置。
【請求項６】
前記係止体は、
前記光源モジュールまたは前記バッフル部材に取り付ける取付部と、
前記取付部の一端から前記取付部に交差する方向に突出する傾斜部と、前記傾斜部の一端から前記取付部側に折り返される受け部と、を有する突出部と、
を有する請求項１〜４のいずれか１つに記載の照明装置。
【請求項７】
前記係止体は、
前記光源モジュールまたは前記バッフル部材に取り付ける取付部と、
前記取付部の一端から前記取付部に交差する方向に突出する傾斜部と、前記傾斜部の一端から前記取付部側に折り返される受け部と、を有する第１および第２の突出部と、
を有し、
前記係止孔は、
前記第１の突出部を係止する第１の孔と、
前記本体の高さ方向において、前記第１の孔と異なる位置に設けられ、前記第２の突出部を係止する第２の孔と、
を有する請求項１または２に記載の照明装置。
【発明の詳細な説明】
【技術分野】
【０００１】
後述する実施形態は、概ね、照明装置に関する。
【背景技術】
【０００２】
断面がＴ字型のバー状部材で組んだ天井枠に、照明装置、設備機器などを落とし込んだシステム天井が知られている。  
この様なシステム天井を用いるものとすれば、照明装置や設備機器の増設、移設、撤去が容易となる。また、照明装置や設備機器の配置などに関する自由度が高くなる。  
システム天井に組み込む照明装置に光源モジュールを取り付ける際には、照明装置の本体に光源モジュールをネジ止めするようにしている。  
そのため、光源モジュールを容易に着脱することができる照明装置の開発が望まれていた。
【先行技術文献】
【特許文献】
【０００３】
【特許文献１】特開２０１０−１０１０６号公報
【発明の概要】
【発明が解決しようとする課題】
【０００４】
本発明が解決しようとする課題は、光源モジュールを容易に着脱することができる照明装置を提供することである。
【課題を解決するための手段】
【０００５】
実施形態に係る照明装置は、光源収納枠を有し、係止孔が設けられた本体と、本体に設けられ、建物の天井に設けられたバー状部材の下側保持部に載せるフランジ部と、光源収納枠の内側に設けられた光源モジュールと、光源モジュールに設けられ、係止孔に係止させたときの本体からの突出寸法が、フランジ部の本体からの突出寸法よりも短い係止体と、を備えている。
【発明の効果】
【０００６】
本発明の実施形態によれば、光源モジュールを容易に着脱することができる照明装置を提供することができる。
【図面の簡単な説明】
【０００７】
【図１】本実施の形態に係る照明装置１を例示するための外観斜視図である。
【図２】照明装置１をシステム天井に組み込んだ状態を例示するための断面図である。
【図３】照明装置１の発光面側を上にした斜視図である。
【図４】図３からバッフル部材６及び設備プレート５を取り除いた状態の斜視図である。
【図５】図４の状態における発光面側の平面図である。
【図６】光源モジュール１２とバッフル部材６との配置関係を例示するための断面図である。
【図７】光源モジュール１２を例示するための斜視図である。
【図８】光源ユニット１５を例示するための斜視図である。
【図９】光源ユニット１５同士の接続を例示するための斜視図である。
【図１０】放熱板２５、カバー２７、および取付部材２６の分解斜視図である。
【図１１】バッフル部材６の斜視図である。
【図１２】バッフル部材６の長手方向の端部の拡大斜視図である。
【図１３】バッフル支持部７１の斜視図である。
【図１４】バッフル支持部７１におけるスリット７６及び７７が形成された部分の拡大断面図である。
【図１５】バッフル８３の拡大斜視図である。
【図１６】一対のバッフル支持部７１のうちの一方のバッフル支持部７１の底面側から見た拡大斜視図である。
【図１７】係止体６４について例示するための斜視図である。
【図１８】係止孔１１ａの形状を例示するための模式図である。
【図１９】光源モジュール１２とバッフル部材６を取り付けた状態を例示するための斜視図である。
【図２０】光源モジュール１２とバッフル部材６を取り付けた状態を例示するための拡大斜視図である。
【図２１】他の実施形態に係る係止体１６４を例示するための斜視図である。
【図２２】光源モジュール１２とバッフル部材６を取り付けた状態を例示するための拡大斜視図である。
【図２３】（ａ）は係止体２６４を例示するための斜視図、（ｂ）、（ｃ）は（ａ）におけるＡ−Ａ矢視断面図であり、（ｂ）は突出部２６４ｃの先端部２６４ｃ１が突出した状態、（ｃ）は突出部２６４ｃの先端部２６４ｃ１が引き込まれた状態を表している。
【図２４】光源モジュール１２とバッフル部材６を取り付けた状態を例示するための拡大斜視図である。
【図２５】光源モジュール１２に設けられた係止体３６４を例示するための斜視図である。
【図２６】バッフル部材６に設けられた係止体３６４を例示するための斜視図である。
【図２７】光源モジュール１２とバッフル部材６を取り付けた状態を例示するための拡大斜視図である。
【図２８】（ａ）は係止体４６４を例示するための斜視図、（ｂ）、（ｃ）は係止体４６４を用いた取付を例示するための模式図である。
【発明を実施するための形態】
【０００８】
第１の発明は、光源収納枠を有し、係止孔が設けられた本体と、本体に設けられ、建物の天井に設けられたバー状部材の下側保持部に載せるフランジ部と、光源収納枠の内側に設けられた光源モジュールと、光源モジュールに設けられ、係止孔に係止させたときの本体からの突出寸法が、フランジ部の本体からの突出寸法よりも短い係止体と、を備えた照明装置である。  
この照明装置によれば、光源モジュールを容易に着脱することができる。  
また、係止体の突出寸法がフランジ部の突出寸法よりも短いので、係止体を係止させる際に、係止体とバー状部材とが干渉することがない。
【０００９】
また、第２の発明は、第１の発明において、光源収納枠の内側における光源モジュールの発光面側に設けられたバッフル部材と、バッフル部材に設けられ、係止孔に係止させたときの本体からの突出寸法が、フランジ部の本体からの突出寸法よりも短い係止体と、をさらに備え、バッフル部材は、複数のスリットを有するバッフル支持部と、バッフル支持部のスリットに設けられ、光源モジュールの長手方向に互いに離間して並んだ複数の板状のバッフルと、を備えた照明装置である。  
この照明装置によれば、バッフル部材をも容易に着脱することができる。  
また、係止体の突出寸法がフランジ部の突出寸法よりも短いので、係止体を係止させる際に、係止体とバー状部材とが干渉することがない。
【００１０】
また、第３の発明は、第１または第２の発明において、係止孔は、係止体の係止される部分の断面寸法よりも長い寸法を有する係止部と、係止部の寸法よりも長い寸法を有する挿入部と、を備えた照明装置である。  
この照明装置によれば、係止体の係止を容易に行うことができる。
【００１１】
また、第４の発明は、第１〜第３のいずれか１つの発明において、係止孔は、本体の高さ方向に所定の間隔をあけて設けられた複数の係止部と、複数の係止部と本体の高さ方向に直交する方向に離間させて設けられた挿入部と、複数の係止部と挿入部とをそれぞれ繋ぐ複数の連結部と、を備えた照明装置である。  
この照明装置によれば、係止体の係止を容易に行うことができる。
【００１２】
また、第５の発明は、第１〜第４のいずれか１つの発明において、係止体は、係止孔に係止させる突出部と、突出部を突出させる付勢部と、突出部に設けられたつまみと、を備えた照明装置である。  
この照明装置によれば、係止体の係止を容易に行うことができる。
【００１３】
また、第６の発明は、第１〜第４のいずれか１つの発明において、係止体は、光源モジュールまたはバッフル部材に取り付ける取付部と、取付部の一端から取付部に交差する方向に突出する傾斜部と、傾斜部の一端から取付部側に折り返される受け部と、を有する突出部と、を備えた照明装置である。  
この照明装置によれば、係止体の係止を容易に行うことができる。
【００１４】
また、第７の発明は、第１または第２の発明において、係止体は、光源モジュールまたはバッフル部材に取り付ける取付部と、取付部の一端から取付部に交差する方向に突出する傾斜部と、傾斜部の一端から取付部側に折り返される受け部と、を有する第１および第２の突出部と、を備え、係止孔は、第１の突出部を係止する第１の孔と、本体の高さ方向において、第１の孔と異なる位置に設けられ、第２の突出部を係止する第２の孔と、をを備えた照明装置である。  
この照明装置によれば、係止体の係止を容易に行うことができる。  
また、取り付け高さを細かく調整することができる。
【００１５】
以下、図面を参照しつつ、実施の形態について例示をする。  
なお、各図面中、同様の構成要素には同一の符号を付して詳細な説明は適宜省略する。  また、以下においては、一例として、発光素子１７が設けられた光源モジュール１２について例示するが、光源モジュールはこれに限定されるわけではない。  
例えば、光源モジュールは、蛍光灯などが設けられたものであってもよい。
【００１６】
図１は、本実施の形態に係る照明装置１を例示するための外観斜視図である。  
図２は、照明装置１をシステム天井に組み込んだ状態を例示するための断面図である。  図３は、照明装置１の発光面側を上にした斜視図である。  
図４は、図３からバッフル部材６及び設備プレート５を取り除いた状態の斜視図である。  図５は、図４の状態における発光面側の平面図である。  
図６は、光源モジュール１２とバッフル部材６との配置関係を例示するための断面図である。  
なお、図６は、光源モジュール１２及びバッフル部材６の長手方向の端面側から見た場合の図である。
【００１７】
図１に示す状態における下側の面が発光面１ａであり、その発光面１ａを下方に向けた状態で、照明装置１がシステム天井に組み込まれる。  
図２に示すように、システム天井２００は、建物の天井に格子状に設けられた断面がＴ字型のバー状部材２０１と、格子状の角形開口（例えば、正四角形の開口）を塞ぐように設けられた図示しない天井板と、天井板が設けられていない角形開口に設けられた照明装置１などを備えている。
【００１８】
バー状部材２０１は、建物の天井に設けられた多数の図示しない吊り金具により吊り下げられている。  
バー状部材２０１は、それが延びる方向に直交する断面において、下側保持部２０１ａ、この下側保持部２０１ａの上方に設けられた上側保持部２０１ｂ、下側保持部２０１ａと上側保持部２０１ｂとを連結する接続部２０１ｃと、を有している。下側保持部２０１ａの幅寸法は、上側保持部２０１ｂの幅寸法より長い。下側保持部２０１ａは側面と、この側面から直角に折れ曲がった上面と、を有している。
【００１９】
下側保持部２０１ａの上面には、照明装置１の本体２に設けられたフランジ部４ａが載せられる。  
上側保持部２０１ｂには、照明装置１の本体２に設けられた落下防止金具４が取り付けられる。  
落下防止金具４は、上側保持部２０１ｂを掴むようにして取り付けられている。  
落下防止金具４は、弾性変形が可能なものとされている。
【００２０】
照明装置１をシステム天井に組み込む場合には、フランジ部４ａが設けられた照明装置１をバー状部材２０１の上方から挿入し、下側保持部２０１ａの上面にフランジ部４ａを載せる。  
そのため、フランジ部４ａが本体２から突出する寸法Ｌ２は、照明装置１をバー状部材２０１の上方から挿入する際に、フランジ部４ａが上側保持部２０１ｂ同士の間を通過できる寸法となっている。  
また、後述するように、係止体６４が本体２から突出する寸法Ｌ１は、フランジ部４ａが本体２から突出する寸法Ｌ２よりも短くなっている。  
そのため、光源モジュール１２やバッフル部材６を取り付ける際に、係止体６４の高さ方向の位置にかかわらず、係止体６４とバー状部材２０１の上側保持部２０１ｂとが干渉することがない。
【００２１】
図１〜図６に示すように、照明装置１は、本体２と、光源モジュール１２と、バッフル部材６とを有する。  
本体２は、金属板を枠状に組み合わせて構成されている。  
光源モジュール１２は、枠状の本体２の内側に収納されている。  
バッフル部材６は、本体２の内側における光源モジュール１２の発光面側に配置されている。
【００２２】
図４及び図５に示すように、本体２は、例えば、四角形状に組み合わされた４つの外枠３と、外枠３の内側に設けられた内枠７とを有する。外枠３の内側は、平行に設けられた２つの内枠７によって３つの空間に仕切られている。  
そのうちの２つの空間は、光源モジュール１２が収納される光源収納部１３であり、それら２つの光源収納部１３の間には、例えば、スピーカーなどが収納される設備収納部１４が設けられている。設備収納部１４における、天井側とは反対側の開口部には、図１及び図３に示す設備プレート５が取り付けられる。
【００２３】
光源収納部１３を囲む外枠３の一部及び内枠７は光源収納枠であり、後述する係止体６４を介して光源モジュール１２を保持する。  
光源収納部１３の平面形状は矩形状であり、その長手方向の両端に位置して互いに対向する外枠３の一部には、複数の係止孔１１ａ〜１１ｃが貫通孔として形成されている。同じ高さレベルに形成された１つの孔を対として、異なる高さに、例えば、３対の係止孔１１ａ〜１１ｃが形成されている。
【００２４】
天井側に最も近い位置に係止孔１１ａが形成され、天井から最も遠い側に係止孔１１ｃが形成され、係止孔１１ａと係止孔１１ｃとの間に係止孔１１ｂが形成されている。係止孔１１ａ〜１１ｃは、光源収納部１３の長手方向の両端で対向する一対の外枠３のそれぞれに、対応する係止孔１１ａ〜１１ｃ同士の高さレベルを一致させて形成されている。    設備収納部１４の長手方向の両端に位置する外枠３の外壁面には、前述した落下防止金具４が取り付けられている。
【００２５】
係止孔１１ａ〜１１ｃには、光源モジュール１２やバッフル部材６に設けられた係止体６４が係止される。そして、係止孔１１ａ〜１１ｃに係止体６４を係止することで、光源モジュール１２やバッフル部材６が本体２の内側に保持される。  
なお、光源モジュール１２に関する詳細は後述する。
【００２６】
図６に示すように、光源モジュール１２の裏側（天井側）には、発光素子１７に電力を供給し、発光素子１７の点灯を制御する電源ユニット（もしくは制御ユニット）２１が配置されている。  
バッフル部材６のバッフル支持部７１及びその内部空間に配置された係止体６４は、光源ユニット１５よりも外側に位置している。このため、バッフル支持部７１及び係止体６４は、光源ユニット１５から照射される光の妨げにはならない。
【００２７】
また、図６において床側に位置することになる使用者から見て、バッフル部材６の係止体６４はバッフル支持部７１の内部に隠れており、光源モジュール１２の係止体６４は、光源ユニット１５よりも外側に位置しているため、係止体６４は使用者からは見えず、商品性を損ねない。
【００２８】
光源モジュール１２の床側の空間の側部には、光源モジュール１２の長手方向（紙面を貫く方向）に沿ってバッフル支持部７１の傾斜側面部７３が延びている。これにより、発光面側から使用者のいる空間に向かって広がる配光を実現できる。
【００２９】
バッフル８３の光源モジュール１２側の端部の曲面部８６と、光源モジュール１２のカバー２７の曲面部４１との間には隙間４６が形成され、バッフル８３はカバー２７に接触していない。このため、カバー２７の損傷を防ぐことができる。  
また、バッフル８３の曲面部８６をカバー２７の曲面部４１に合わせた形状にすることで、それらの間の隙間４６の高さを均一にすることができる。これにより、カバー２７の曲面部４１の形状によって制御される配光特性が隙間４６の存在によって損なわれない。
【００３０】
この場合、１枚の板金における複数箇所を折り曲げてバッフルを立ち上げ、支持部とバッフルとが一体に設けられたバッフル部材とすれば、重さの増大をまねく。  
これに対して、本実施の形態によれば、別体のバッフル支持部７１とバッフル８３とを組み合わせてバッフル部材６を形成している。そのため、バッフル支持部７１を、例えば、鋼板から形成して強度を確保しつつ、バッフル８３を、例えば、アルミニウム等から形成することで軽量化を図ることができる。
【００３１】
また、本体２に取り付けられた状態で、バッフル支持部７１において使用者から見えるのは傾斜側面部７３及び垂直側面部７４の外側の面だけであり、内側の面（内部空間の内壁面）は見えない。したがって、バッフル支持部７１へと曲げ加工する前の板金において、上記外側の面になる一方の面だけ塗装（例えば白色に塗装）し、上記内側の面になる他方の面は塗装しなくてもよい。そのため、商品性を損ねずに、塗装費用の低減によるコスト低減を図れる。
【００３２】
また、バッフル支持部７１に形成する複数のスリット７６の長手方向のピッチを変えることで、そのスリット７６に差し込まれるバッフル８３間のピッチを変えることができる。そのため、容易に遮光角度の制御が行える。また、複数のバッフル８３は同じ構造の共通部品を使える。  
なお、バッフル部材６に関する詳細は後述する。
【００３３】
次に、光源モジュール１２についてさらに例示する。  
図７は、光源モジュール１２を例示するための斜視図である。  
光源モジュール１２は、光源ユニット１５と、放熱板２５と、カバー２７と、取付部材２６とを有する。  
図８は、光源ユニット１５を例示するための斜視図である。  
図９は、光源ユニット１５同士の接続を例示するための斜視図である。  
図１０は、放熱板２５、カバー２７、および取付部材２６の分解斜視図である。
【００３４】
図８に示すように、光源ユニット１５は、基板１６と、基板１６上に搭載（実装）された複数の発光素子１７とを有する。基板１６には図示しない配線が形成され、発光素子１７はその配線と電気的に接続されている。  
発光素子１７は、例えば、発光ダイオード（Light Emitting Diode：ＬＥＤ）である。発光ダイオードの活性層の材料として、例えば、窒化ガリウム（ＧａＮ）系化合物半導体を用いると、波長５００ナノメータ以下の短波長光が得られる。ただし、活性層の材料は、窒化ガリウム系化合物半導体に限られるものではない。
【００３５】
また、発光素子１７としては、発光ダイオードのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいは、その他の電界発光型の発光素子などを用いることができる。  
発光素子１７は、例えば、青色光を発光する発光ダイオードと、その青色光（励起光）を吸収して黄色光に変換する蛍光体を含む蛍光体層とを有したものとすることができる。この場合、発光素子１７は、青色光と黄色光との混合色として白色や電球色などの光を照射することができる。
【００３６】
基板１６は、細長い板状に形成され、その短手方向（幅方向）の両端付近のそれぞれに、長手方向に沿って複数の発光素子１７が配列されている。また、基板１６上には、長手方向の両端付近にコネクタ２２が実装されている。コネクタ２２は、基板１６に形成されている配線を通じて発光素子１７と電気的に接続されている。
【００３７】
図１０に示すように、放熱板２５は、一体に設けられた主面部３１と一対の側面部３２とを有する金属板である。主面部３１は略矩形状に形成され、その短手方向（幅方向）の両端に側面部３２が一体に設けられている。主面部３１の一方の面（図１０において上面）は、光源ユニット１５を搭載する面であり、側面部３２は光源ユニット１５を搭載する面の裏側に突出しつつ、主面部３１の長手方向に延びている。
【００３８】
図７に示すように、主面部３１の光源ユニット１５を搭載する面上には、複数（図７に例示したものでは４つ）の光源ユニット１５が搭載される。そして、例えば、光源ユニット１５の基板１６が、光源ユニット１５を搭載する面に対してネジ止めされる。基板１６における発光素子１７を搭載した面とは反対側の面が、主面部３１の光源ユニット１５を搭載する面に接触する。光源ユニット１５の基板１６は、例えば、金属板であり、発光素子１７の発光に伴う熱は基板１６を通じて効率よく放熱板２５へと伝導するようになっている。
【００３９】
図８に示すように、基板１６の長手方向のエッジ部には切欠き２３ａが形成されている。複数の基板１６が長手方向に並べられた状態で、切欠き２３ａは隣接する他の基板１６の切欠き２３ａと合わされ、図７、図９に示すように、四角い開口２３を形成する。  
長手方向に隣接する２つの光源ユニット１５同士は、図９に示すように、コネクタ２２間に接続された電気ケーブル２４を通じて互いに電気的に接続される。その電気ケーブル２４における両コネクタ２２間の一部分は、たるんだ状態で上記開口２３を通じて基板１６の裏側に引き出されている。
【００４０】
電気ケーブル２４の長さを接続対象のコネクタ２２間距離に合わせると、寸法公差などにより電気ケーブル２４の長さが足らなくなり、両コネクタ２２間の接続が困難または接続できなくなるおそれがある。本実施の形態においては、電気ケーブル２４の長さを長めにしているので、両コネクタ２２間の接続を容易に行うことができる。この場合、発光素子１７が搭載された発光面側には、電気ケーブル２４の余剰部分が飛び出ないため、その余剰部分で発光面の光は遮光されることがない。
【００４１】
図１０に示すように、放熱板２５の光源ユニット１５を搭載する面上には、カバー２７が搭載され、光源ユニット１５の上方の空間がカバー２７で覆われる。カバー２７は、発光素子１７から照射される光に対して透過性を有する樹脂材料などからなる。  
カバー２７は、光源ユニット１５を搭載する面に対して凸状に形成された曲面部４１と、曲面部４１の短手方向の両端部に設けられ、曲面部４１の長手方向に延びるフランジ部４２とを有する。
【００４２】
放熱板２５の一対の側面部３２のそれぞれには、取付部材２６が取り付けられる。取付部材２６は、カバー押さえ部３６と、カバー押さえ部３６に対して直角かつ一体に設けられた側板部３５とを有する金属部材である。カバー押さえ部３６及び側板部３５は、放熱板２５の長手方向に延び、放熱板２５の長手方向寸法とほぼ同じ長手方向寸法を有する。
【００４３】
カバー押さえ部３６は、カバー２７のフランジ部４２上に重ねられ、カバー２７のフランジ部４２は、放熱板２５の主面部３１と取付部材２６のカバー押さえ部３６との間に挟まれる。これにより、カバー２７は放熱板２５に対して固定される。
【００４４】
放熱板２５の側面部３２の長手方向の両端部のそれぞれには、一対の円形状の孔３３が側面部３２を貫通して形成されている。  
取付部材２６の側板部３５の長手方向の両端部のそれぞれにも、一対の円形状の孔３７が側板部３５を貫通して形成されている。
【００４５】
取付部材２６の側板部３５は、放熱板２５の側面部３２の外壁面に重ね合わされる。この状態で、側板部３５に形成された孔３７は側面部３２に形成された孔３３と一致し、孔３７及び孔３３に、図７に示すリベット４５が差し込まれてかしめられ、取付部材２６は放熱板２５に対して固定される。
【００４６】
リベット４５は、取付部材２６と放熱板２５とを固定するだけでなく、後述する係止体６４を放熱板２５の側面部３２の内壁面に取り付ける機能をも兼ね備えている。すなわち、共通のリベット４５により、放熱板２５、取付部材２６および係止体６４は共締めされている。  
なお、係止体６４は、取付部材２６または放熱板２５と一体に形成することもできる。
【００４７】
次に、バッフル部材６についてさらに例示をする。  
図１１は、バッフル部材６の斜視図である。  
図１２は、バッフル部材６の長手方向の端部の拡大斜視図である。  
図１３は、バッフル支持部７１の斜視図である。  
図１４は、バッフル支持部７１におけるスリット７６及び７７が形成された部分の拡大断面図である。  
図１５は、バッフル８３の拡大斜視図である。  
図１６は、一対のバッフル支持部７１のうちの一方（図１１における右側）のバッフル支持部７１の底面側から見た拡大斜視図である。
【００４８】
図１１、図１２、図１６に示すように、バッフル部材６は、一対のバッフル支持部７１と、バッフル支持部７１に支持された複数の板状のバッフル８３とを有する。複数のバッフル８３が、バッフル支持部７１の長手方向に互いに離れて並んでいる。  
バッフル支持部７１は、金属板（例えば、鋼板）を曲げ加工することで形成することができる。  
バッフル支持部７１は、底面部７２と、底面部７２に対して垂直な垂直側面部７４と、底面部７２及び垂直側面部７４に対して傾斜した傾斜側面部７３とを有する、直角三角柱形状となっている。
【００４９】
図１４に示すように、底面部７２は、バッフル支持部７１へと加工される金属板の短手方向（幅方向）の両端部７２ａ及び７２ｂが重ね合わさって構成され、底面部７２には貫通孔７８が形成されている。  
底面部７２は矩形板状に形成され、その短手方向（幅方向）の一方の端部に垂直側面部７４が一体に設けられ、他方の端部に傾斜側面部７３が一体に設けられている。垂直側面部７４と傾斜側面部７３とは、湾曲した頂部７５を介して一体につながっている。
【００５０】
傾斜側面部７３及び垂直側面部７４における頂部７５側の上半分ほどにはスリット７６が形成されている。複数のスリット７６が、バッフル支持部７１の長手方向に所定間隔で形成されている。  
垂直側面部７４においてそれぞれのスリット７６の底面部７２側の直下には、スリット７６と同じ幅のスリット７７が形成されている。したがって、複数のスリット７７がバッフル支持部７１の長手方向に所定間隔で形成されている。スリット７７は、スリット７６とはつながっておらず、また底面部７２には達していない。
【００５１】
垂直側面部７４の長手方向の両端部のそれぞれには、一対の円形状の孔８１が垂直側面部７４を貫通して形成されている。  
バッフル支持部７１の内側の空間の幅は、底面部７２から頂部７５に向かうにしたがって狭められている。
【００５２】
図１５に示すように、バッフル８３には一対の切欠き８４が形成されている。それぞれの切欠き８４の内壁にはツメ部８５が設けられている。一対の切欠き８４及びツメ部８５は、バッフル８３の長手方向を２等分する中心線に対して対称的に形成されている。  
切欠き８４が開口されている側の端部（図１５における下端部）は、光源モジュール１２側に向けられ、その端部における一対の切欠き８４の間の部分は、光源モジュール１２のカバー２７の曲面部４１に沿った曲面部８６となっている。
【００５３】
図１１に示すように、一対のバッフル支持部７１が、互いの傾斜側面部７３を対向させて平行に配置される。一対のバッフル支持部７１は、バッフル８３に形成された一対の切欠き８４間の距離に応じた距離を隔てて平行に配置される。  
そして、一方のバッフル支持部７１のスリット７６にバッフル８３の一方の切欠き８４を差し込み、他方のバッフル支持部７１のスリット７６にバッフル８３の他方の切欠き８４を差し込む。バッフル８３は、切欠き８４の上壁８４ａがスリット７６の下端に当たる位置まで差し込まれる。
【００５４】
その状態で、切欠き８４の内壁に設けられたツメ部８５が、図１６に示すように、垂直側面部７４に形成されたスリット７７に差し込まれる。ツメ部８５の上端がスリット７７の上端に当たることで、バッフル支持部７１からのバッフル８３の脱落が防止される。  
また、バッフル支持部７１の底面部７２に形成された貫通孔７８には、図１６に示すリベット８７が差し込まれカシメられる。これにより、傾斜側面部７３と垂直側面部７４とがなす角度が小さくなる方向への傾斜側面部７３及び垂直側面部７４の移動が規制される。そのため、ツメ部８５がスリット７７から抜けることがないので、バッフル８３のバッフル支持部７１からの離脱を防ぐことができる。
【００５５】
図３に示すように、バッフル部材６は、光源収納部１３内における光源モジュール１２の発光面側に収納される。したがって、照明器具１の真下以外の下方空間にいる使用者が照明器具１を特定角度から見上げた際に、バッフル８３によって発光面が遮られるので、発光面を直接視認することがなくなり、まぶしさ感を軽減できる。
【００５６】
図１１、図１２に示すように、バッフル部材６にも、光源モジュール１２と同様に係止体６４が取り付けられている。  
係止体６４は、バッフル支持部７１の長手方向の端部に取り付けられている。係止体６４は、バッフル支持部７１における底面部７２と垂直側面部７４と傾斜側面部７３とで囲まれた空間内に配置されている。
【００５７】
図１３に示す垂直側面部７４に形成された孔８１と、図１７に示す係止体６４に形成された孔６４ａが、一致するようになっている。この孔８１及び孔６４ａに、図１２に示すリベット８８が差し込まれてカシメられる。これにより、係止体６４がバッフル支持部７１の垂直側面部７４に対して固定される。  
なお、係止体６４を、バッフル支持部７１と一体に形成することもできる。
【００５８】
次に、係止体６４について例示をする。  
光源モジュール１２及びバッフル部材６は、それぞれ、係止体６４を用いて本体２に対して着脱自在に取り付けられる。  
図１７は、係止体６４について例示するための斜視図である。  
図１７に示すように、係止体６４は、板状を呈し、係止体６４を光源モジュール１２またはバッフル部材６に固定するための孔６４ａが形成されている。  
係止体６４の長手方向の一方の端部は、長手方向と直角な方向に向けて曲がっている。  係止体６４を光源モジュール１２及びバッフル部材６に設けた場合には、係止体６４の長手方向の一方の端部は床側に向けて曲がっている。
【００５９】
図７、図１１に示すように、係止体６４は、孔６４ａに差し込まれたリベット４５、８８をカシメることで光源モジュール１２またはバッフル部材６に固定されている。
【００６０】
図１８は、係止孔１１ａの形状を例示するための模式図である。  
図１９は、光源モジュール１２とバッフル部材６を取り付けた状態を例示するための斜視図である。  
図２０は、光源モジュール１２とバッフル部材６を取り付けた状態を例示するための拡大斜視図である。
【００６１】
図１８に示すように、係止孔１１ａには、係止体６４の厚み寸法Ｔよりも僅かに長い幅寸法Ｗ１を有する係止部１１ａ１と、幅寸法Ｗ１よりも長い幅寸法Ｗ２を有する挿入部１１ａ２が設けられている。  
また、係止部１１ａ１と、挿入部１１ａ２と、の間には、挿入部１１ａ２に挿入された係止孔１１ａを係止部１１ａ１へと導くための斜面を有する誘い込み部１１ａ３が設けられている。  
なお、図１８においては、一例として、係止孔１１ａを例示したが、係止孔１１ｂ、１１ｃも同様である。  
また、係止部１１ａ１がある程度の長さを有する場合を例示したが、これに限定されるわけではない。  
例えば、係止孔は、逆三角形の孔であってもよい。係止孔を逆三角形の孔とした場合には、下側の頂点の近傍において係止体６４が係止されることになる。  
すなわち、係止体の係止される部分の断面寸法よりも僅かに長い寸法を有する係止部と、係止部の寸法よりも長い寸法を有する挿入部とを有する係止孔であればよい。
【００６２】
図１９、図２０に示すように、外枠３には高さの異なる位置に複数の係止孔１１ａ〜１１ｃが形成されている。そして、係止体６４を係止させる係止孔１１ａ〜１１ｃを選択することで、光源モジュール１２やバッフル部材６の光源収納部１３内における取り付け高さを変えることができる。
【００６３】
また、図２０、図２に示すように、係止体６４を係止孔１１ａ〜１１ｃに係止させた際、すなわち、光源モジュール１２やバッフル部材６を取り付けた際に、係止体６４が本体２から突出する寸法Ｌ１は、フランジ部４ａが本体２から突出する寸法Ｌ２よりも短くなっている。  
この様にすれば、図２において説明したように、光源モジュール１２やバッフル部材６を取り付ける際に、係止体６４の高さ方向の位置にかかわらず、係止体６４とバー状部材２０１の上側保持部２０１ｂとが干渉することがない。
【００６４】
この場合、バッフル部材６を取り付けないようにすることもできる。  
その場合には、３対の係止孔１１ａ〜１１ｃのいずれかに光源モジュール１２の係止体６４を係止させることができる。  
そして、例えば、使用者の要求に適合する配光特性となるように、光源モジュール１２の位置を適宜変更することができる。
【００６５】
バッフル部材６を取り付ける場合には、例えば、光源モジュール１２の係止体６４を天井側の係止孔１１ａまたは係止孔１１ｂに係止させ、バッフル部材６の係止体６４を係止孔１１ｂまたは係止孔１１ｃに係止させることができる。
【００６６】
例えば、係止体６４を係止孔１１ａに係止させる場合には、まず、係止孔１１ａの挿入部１１ａ２に係止体６４を挿入する。この際、挿入部１１ａ２の幅寸法Ｗ２は、係止体６４の厚み寸法Ｔよりも長くなっているので、係止体６４を容易に挿入することができる。  次に、挿入部１１ａ２に挿入された係止体６４を係止部１１ａ１へと移動させる。  
この際、誘い込み部１１ａ３の斜面により係止体６４を係止部１１ａ１へ円滑に移動させることができる。  
係止部１１ａ１に移動させた係止体６４は、係止部１１ａ１により係止される。  
この際、係止部１１ａ１の幅寸法Ｗ１は、係止体６４の厚み寸法Ｔよりも僅かに長くなっているので、係止された光源モジュール１２やバッフル部材６のガタツキを抑制することができる。
【００６７】
また、同じ部品である係止体６４を用いて、光源モジュール１２とバッフル部材６とを、本体２に着脱できる。そのため、光源モジュール１２を本体２に着脱させるときと、バッフル部材６を本体２に着脱させるときとの作業を同様の操作で行うことができるので、作業性を向上できる。さらに、部品共通化によるコスト低減も図れる。
【００６８】
次に、他の実施形態に係る係止体について例示をする。  
図２１は、他の実施形態に係る係止体１６４を例示するための斜視図である。  
図２２は、光源モジュール１２とバッフル部材６を取り付けた状態を例示するための拡大斜視図である。
【００６９】
図２１に示すように、係止体１６４には、板状の取付部１６４ｂと、取付部１６４ｂの一方の端部から突出したピン状の突出部１６４ｃとが設けられている。  
取付部１６４ｂには、係止体１６４を光源モジュール１２またはバッフル部材６に固定するための孔１６４ａが形成されている。  
孔１６４ａは、前述した孔６４ａに相当する。  
係止体１６４は、孔１６４ａに差し込まれたリベット４５、８８をカシメることで光源モジュール１２またはバッフル部材６に固定される。
【００７０】
図２２に示すように、光源収納部１３の長手方向の両端に位置して互いに対向する外枠３の一部には、複数の係止孔１１１が貫通孔として形成されている。  
係止孔１１１は、１つの光源収納部１３の長手方向の両端に、それぞれ一対ずつ設けられている。  
図２２に示すものは、そのうちの一対を例示するものである。  
係止孔１１１には、突出部１６４ｃの直径寸法Ｄよりも僅かに長い幅寸法Ｗ３を有する係止部１１１ａと、幅寸法Ｗ３よりも長い幅寸法Ｗ４を有する挿入部１１１ｂが設けられている。  
なお、係止部１１１ａは前述した係止部１１ａ１に相当し、挿入部１１１ｂは前述した挿入部１１ａ２に相当する。
【００７１】
係止部１１１ａと、挿入部１１１ｂとは、光源収納部１３の高さ方向に延びるようにして設けられている。また、係止部１１１ａと、挿入部１１１ｂとは、互いに平行となるように設けられている。  
係止部１１１ａと、挿入部１１１ｂとの間には、連結部１１１ｃが設けられている。  
連結部１１１ｃは、係止部１１１ａと、挿入部１１１ｂに対して直角な方向に延びるようにして設けられている。  
連結部１１１ｃの幅寸法は、例えば、挿入部１１１ｂの幅寸法Ｗ４と同様とすることができる。
【００７２】
すなわち、係止孔１１１は、本体２の高さ方向に所定の間隔をあけて設けられた複数の係止部１１１ａと、複数の係止部１１１ａと本体２の高さ方向に直交する方向に離間させて設けられた挿入部１１１ｂと、複数の係止部１１１ａと挿入部１１１ｂとをそれぞれ繋ぐ複数の連結部１１１ｃと、を有する。
【００７３】
係止部１１１ａは、異なる高さに、例えば、３つ設けられている。  
光源収納部１３の長手方向の両端で対向する一対の係止部１１１ａ同士は、高さレベルを一致させて形成されている。  
そのため、係止体１６４を係止させる位置を選択することで、光源モジュール１２やバッフル部材６の光源収納部１３内における取り付け高さを変えることができる。
【００７４】
また、前述したものと同様に、係止体１６４を係止孔１１１に係止させた際、すなわち、光源モジュール１２やバッフル部材６を取り付けた際に、係止体１６４が本体２から突出する寸法Ｌ１は、フランジ部４ａが本体２から突出する寸法Ｌ２よりも短くなっている。
この様にすれば、図２において説明したように、光源モジュール１２やバッフル部材６を取り付ける際に、係止体１６４の高さ方向の位置にかかわらず、係止体１６４とバー状部材２０１の上側保持部２０１ｂとが干渉することがない。
【００７５】
係止体１６４を係止孔１１１に係止させる場合には、まず、係止孔１１１の挿入部１１１ｂに係止体１６４を挿入する。この際、挿入部１１１ｂの幅寸法Ｗ４は、係止体１６４の直径寸法Ｄよりも長くなっているので、係止体１６４を容易に挿入することができる。  次に、挿入部１１１ｂに挿入された係止体１６４を係止部１１１ａへと移動させる。  
この際、連結部１１１ｃにより係止体１６４を導くことができるので、係止体１６４を係止部１１１ａへ円滑に移動させることができる。  
係止部１１１ａに移動させた係止体１６４は、係止部１１１ａにより係止される。  
この際、係止部１１１ａの幅寸法Ｗ３は、係止体１６４の直径寸法Ｄよりも僅かに長くなっているので、係止された光源モジュール１２やバッフル部材６のガタツキを抑制することができる。
【００７６】
また、同じ部品である係止体１６４を用いて、光源モジュール１２とバッフル部材６とを、本体２に着脱できる。そのため、光源モジュール１２を本体２に着脱させるときと、バッフル部材６を本体２に着脱させるときとの作業を同様の操作で行うことができるので、作業性を向上できる。さらに、部品共通化によるコスト低減も図れる。
【００７７】
次に、他の実施形態に係る係止体２６４を例示する。  
図２３は、他の実施形態に係る係止体２６４を例示するための模式図である。  
なお、図２３（ａ）は係止体２６４を例示するための斜視図、図２３（ｂ）、（ｃ）は図２３（ａ）におけるＡ−Ａ矢視断面図であり、図２３（ｂ）は突出部２６４ｃの先端部２６４ｃ１が突出した状態、図２３（ｃ）は突出部２６４ｃの先端部２６４ｃ１が引き込まれた状態を表している。  
また、図２３（ｄ）は、突出部２６４ｃの先端部２６４ｃ１を両側に突出させる場合である。  
図２４は、光源モジュール１２とバッフル部材６を取り付けた状態を例示するための拡大斜視図である。
【００７８】
図２３（ａ）〜（ｃ）に示すように、係止体２６４には、本体２６４ａ、突出部２６４ｃを突出させる付勢部としてのバネ２６４ｂ、係止孔２１１ａ〜２１１ｃに係止させる突出部２６４ｃ、つまみ２６４ｄが設けられている。  
本体２６４ａは、筒状を呈し、内部にバネ２６４ｂを収納する収納部２６４ａ１を有している。  
収納部２６４ａ１は、本体２６４ａの一端に開口している。  
収納部２６４ａ１の開口寸法は、収納部２６４ａ１の断面寸法よりも短くなっている。
【００７９】
バネ２６４ｂは、例えば、圧縮バネとすることができる。  
突出部２６４ｃは、段付き形状を呈し、収納部２６４ａ１の開口寸法よりも僅かに短い直径寸法を有する先端部２６４ｃ１と、収納部２６４ａ１の断面寸法よりも僅かに短い直径寸法を有する基部２６４ｃ２とを有する。  
つまみ２６４ｄは、一端が基部２６４ｃ２に設けられ、他端が本体２６４ａに設けられた長孔２６４ａ２を介して外部に突出している。
【００８０】
なお、係止体２６４を光源モジュール１２またはバッフル部材６に固定するための図示しない孔を、本体２６４ａに適宜設けることができる。  
また、突出部２６４ｃを突出させるものとして圧縮バネを例示したが、これに限定されるわけではない。例えば、板バネやねじりコイルバネなどの他の付勢手段を用いてもよい。
【００８１】
図２３（ａ）、（ｂ）に示すように、光源モジュール１２やバッフル部材６が取り付けられた状態においては、バネ２６４ｂの作用により先端部２６４ｃ１が突出している。  
図２３（ｃ）に示すように、光源モジュール１２やバッフル部材６を着脱する際には、つまみ２６４ｄを押してバネ２６４ｂを縮めることで、先端部２６４ｃ１を本体２６４ａの内部に引き込ませる。  
図２３（ｄ）に示すように、２つの係止体２６４を一体化し、両側に突出部２６４ｃの先端部２６４ｃ１が突出するようにしてもよい。
【００８２】
図２４に示すように、光源収納部１３の長手方向の両端に位置して互いに対向する外枠３の一部には、複数の係止孔２１１ａ〜２１１ｃが貫通孔として形成されている。  
同じ高さレベルに形成された１つの孔を対として、異なる高さに、例えば、３対の係止孔２１１ａ〜２１１ｃが形成されている。
【００８３】
天井側に最も近い位置に係止孔２１１ａが形成され、天井から最も遠い側に係止孔２１１ｃが形成され、係止孔２１１ａと係止孔２１１ｃとの間に係止孔２１１ｂが形成されている。係止孔２１１ａ〜２１１ｃは、光源収納部１３の長手方向の両端で対向する一対の外枠３のそれぞれに、対応する係止孔２１１ａ〜２１１ｃ同士の高さレベルを一致させて形成されている。
【００８４】
係止孔２１１ａ〜２１１ｃの直径寸法は、係止体２６４の先端部２６４ｃ１の直径寸法よりも僅かに長くなっている。そのため、係止体２６４の先端部２６４ｃ１は、係止孔２１１ａ〜２１１ｃに出入りできる。  
なお、係止孔２１１ａ〜２１１ｃは、前述した係止部１１ａ１に相当する。  
係止孔２１１ａ〜２１１ｃには、光源モジュール１２やバッフル部材６に設けられた係止体２６４の先端部２６４ｃ１が挿入される。そして、係止孔２１１ａ〜２１１ｃに係止体２６４の先端部２６４ｃ１を挿入することで、光源モジュール１２やバッフル部材６が本体２の内側に係止される。
【００８５】
本実施の形態においても、係止体２６４を係止させる位置を選択することで、光源モジュール１２やバッフル部材６の光源収納部１３内における取り付け高さを変えることができる。
【００８６】
また、前述したものと同様に、係止体２６４を係止孔２１１ａ〜２１１ｃに係止させた際、すなわち、光源モジュール１２やバッフル部材６を取り付けた際に、係止体２６４の先端部２６４ｃ１が本体２から突出する寸法Ｌ１は、フランジ部４ａが本体２から突出する寸法Ｌ２よりも短くなっている。  
この様にすれば、図２において説明したように、光源モジュール１２やバッフル部材６を取り付ける際に、係止体２６４の高さ方向の位置にかかわらず、係止体２６４の先端部２６４ｃ１とバー状部材２０１の上側保持部２０１ｂとが干渉することがない。
【００８７】
係止体２６４の先端部２６４ｃ１を係止孔２１１ａ〜２１１ｃに係止させる場合には、まず、つまみ２６４ｄを押してバネ２６４ｂを縮めることで、先端部２６４ｃ１を本体２６４ａの内部に引き込ませる。  
次に、光源モジュール１２やバッフル部材６を所定の高さに保持する。そして、つまみ２６４ｄを離して先端部２６４ｃ１を突出させ、先端部２６４ｃ１を係止孔２１１ａ〜２１１ｃに挿入することで、光源モジュール１２やバッフル部材６を係止する。
【００８８】
この際、係止孔２１１ａ〜２１１ｃの直径寸法は、係止体２６４の先端部２６４ｃ１の直径寸法よりも僅かに長くなっているので、係止された光源モジュール１２やバッフル部材６のガタツキを抑制することができる。  
また、同じ部品である係止体２６４を用いて、光源モジュール１２とバッフル部材６とを、本体２に着脱できる。そのため、光源モジュール１２を本体２に着脱させるときと、バッフル部材６を本体２に着脱させるときとの作業を同様の操作で行うことができるので、作業性を向上できる。さらに、部品共通化によるコスト低減も図れる。
【００８９】
次に、他の実施形態に係る係止体３６４を例示する。  
図２５は、光源モジュール１２に設けられた係止体３６４を例示するための斜視図である。  
図２６は、バッフル部材６に設けられた係止体３６４を例示するための斜視図である。  図２７は、光源モジュール１２とバッフル部材６を取り付けた状態を例示するための拡大斜視図である。
【００９０】
図２５、図２６に示すように、係止体３６４は、ステンレスなどの薄板から形成されている。  
係止体３６４には、取付部３６４ａ、突出部３６４ｂが設けられている。  
取付部３６４ａは、平板状を呈し、取付部材２６またはバッフル支持部７１に取り付けられている。
【００９１】
取付部３６４ａの取付方法には特に限定がなく、例えば、前述したリベット締め、ネジ止め、スポット溶接などにより取り付けることができる。  
突出部３６４ｂは、取付部３６４ａの一端から取付部３６４ａに交差する方向に突出する傾斜部３６４ｂ１と、傾斜部３６４ｂ１の一端から取付部３６４ａ側に折り返される受け部３６４ｂ２とを有する。  
また、側板部３５、垂直側面部７４には、角穴３５ａ、７４ａが設けられ、角穴を通じて突出部３６４ｂが進退できるようになっている。
【００９２】
図２７に示すように、光源収納部１３の短手方向に位置して互いに対向する外枠３と内枠７の一部には、複数の係止孔３１１ａ〜３１１ｃが貫通孔として形成されている。  
同じ高さレベルに形成された１つの孔を対として、異なる高さに、例えば、三対の係止孔３１１ａ〜３１１ｃが形成されている。
【００９３】
天井側に最も近い位置に係止孔３１１ａが形成され、天井から最も遠い側に係止孔３１１ｃが形成され、係止孔３１１ａと係止孔３１１ｃとの間に係止孔３１１ｂが形成されている。係止孔３１１ａ〜３１１ｃは、光源収納部１３の短手方向で対向する一対の外枠３と内枠７のそれぞれに、対応する係止孔３１１ａ〜３１１ｃ同士の高さレベルを一致させて形成されている。
【００９４】
係止孔３１１ａ〜３１１ｃは、角穴とすることができ、突出部３６４ｂの外形寸法より僅かに長い寸法を有している。そのため、係止体３６４の突出部３６４ｂは、係止孔３１１ａ〜３１１ｃに出入りできる。  
なお、係止孔３１１ａ〜３１１ｃは、前述した係止部１１ａ１に相当する。
【００９５】
係止孔３１１ａ〜３１１ｃには、光源モジュール１２やバッフル部材６に設けられた係止体３６４の突出部３６４ｂが挿入される。そして、係止孔３１１ａ〜３１１ｃに係止体３６４の突出部３６４ｂを挿入することで、光源モジュール１２やバッフル部材６が本体２の内側に係止される。
【００９６】
本実施の形態においても、係止体３６４を係止させる位置を選択することで、光源モジュール１２やバッフル部材６の光源収納部１３内における取り付け高さを変えることができる。
【００９７】
また、前述したものと同様に、係止体３６４を係止孔３１１ａ〜３１１ｃに係止させた際、すなわち、光源モジュール１２やバッフル部材６を取り付けた際に、係止体３６４の突出部３６４ｂが本体２から突出する寸法Ｌ１は、フランジ部４ａが本体２から突出する寸法Ｌ２よりも短くなっている。  
この様にすれば、図２において説明したように、光源モジュール１２やバッフル部材６を取り付ける際に、係止体３６４の高さ方向の位置にかかわらず、係止体３６４の突出部３６４ｂとバー状部材２０１の上側保持部２０１ｂとが干渉することがない。
【００９８】
係止体３６４の突出部３６４ｂを係止孔３１１ａ〜３１１ｃに係止させる場合には、光源モジュール１２やバッフル部材６を、照明装置１の発光面１ａ側から挿入するようにする。すると、突出部３６４ｂの傾斜部３６４ｂ１の作用により、突出部３６４ｂが光源モジュール１２やバッフル部材６の内部に収納され、突出部３６４ｂが係止孔３１１ａ〜３１１ｃの位置に達した際に再び突出して、突出部３６４ｂが係止孔３１１ａ〜３１１ｃに挿入される。この様にして、光源モジュール１２やバッフル部材６が係止される。
【００９９】
この際、係止孔３１１ａ〜３１１ｃの寸法は、係止体３６４の突出部３６４ｂの寸法よりも僅かに長くなっているので、係止された光源モジュール１２やバッフル部材６のガタツキを抑制することができる。  
また、同じ部品である係止体３６４を用いて、光源モジュール１２とバッフル部材６とを、本体２に着脱できる。そのため、光源モジュール１２を本体２に着脱させるときと、バッフル部材６を本体２に着脱させるときとの作業を同様の操作で行うことができるので、作業性を向上できる。さらに、部品共通化によるコスト低減も図れる。
【０１００】
次に、他の実施形態に係る係止体４６４を例示する。  
図２８は、他の実施形態に係る係止体４６４を例示するための模式図である。  
なお、図２８（ａ）は係止体４６４を例示するための斜視図、図２８（ｂ）、（ｃ）は係止体４６４を用いた取付を例示するための模式図である。
【０１０１】
図２８（ａ）に示すように、係止体４６４には、取付部４６４ａ、突出部４６４ｂ１（第１の突出部の一例に相当する）、突出部４６４ｂ２（第２の突出部の一例に相当する）が設けられている。  
取付部４６４ａは、前述した取付部３６４ａに相当する。  
突出部４６４ｂ１と突出部４６４ｂ２は、前述した突出部３６４ｂに相当する。  
すなわち、係止体４６４は２つの突出部が設けられていること以外は、前述した係止体３６４と同様とすることができる。
【０１０２】
光源収納部１３の短手方向に位置して互いに対向する外枠３と内枠７の一部には、複数の係止孔４１１が貫通孔として形成されている。  
係止孔４１１は、突出部４６４ｂ１を係止する孔４１１ａ（第１の孔の一例に相当する）と、突出部４６４ｂ２を係止する孔４１１ｂ（第２の孔の一例に相当する）を有する。  孔４１１ａと孔４１１ｂとは繋がっており、孔４１１ａの下端位置は孔４１１ｂの下端位置より低い位置に設けられている。  
すなわち、孔４１１ｂは、本体２の高さ方向において、孔４１１ａと異なる位置に設けられ、突出部４６４ｂ２を係止する。  
なお、孔４１１ａと孔４１１ｂとが繋がっている場合を例示したが、孔４１１ａと孔４１１ｂとが離間していてもよい。
【０１０３】
複数の係止孔４１１は、前述した係止孔３１１ａ〜３１１ｃに相当する。  
そのため、係止孔４１１同士の相対的な位置関係は、前述した係止孔３１１ａ〜３１１ｃと同様とすることができる。  
係止孔４１１には、光源モジュール１２やバッフル部材６に設けられた係止体４６４の突出部４６４ｂ１、４６４ｂ２が挿入される。そして、係止孔４１１に係止体４６４の突出部４６４ｂ１、４６４ｂ２を挿入することで、光源モジュール１２やバッフル部材６が本体２の内側に係止される。
【０１０４】
本実施の形態においても、係止体４６４を係止させる位置を選択することで、光源モジュール１２やバッフル部材６の光源収納部１３内における取り付け高さを変えることができる。  
またさらに、光源収納部１３内における取り付け高さを細かく調整することができる。  例えば、図２８（ｂ）に示すように、係止体４６４の突出部４６４ｂ２を孔４１１ｂに挿入することで係止させた位置と、図２８（ｃ）に示すように、係止体４６４の突出部４６４ｂ１を孔４１１ａに挿入することで係止させた位置との違いにより取り付け高さを調整することができる。  
この場合、単に孔を高さ方向に配置する場合に比べて、取り付け高さを細かく調整することができる。
【０１０５】
また、前述したものと同様に、係止体４６４を係止孔４１１に係止させた際、すなわち、光源モジュール１２やバッフル部材６を取り付けた際に、係止体４６４の突出部４６４ｂ１、４６４ｂ２が本体２から突出する寸法Ｌ１は、フランジ部４ａが本体２から突出する寸法Ｌ２よりも短くなっている。  
この様にすれば、図２において説明したように、光源モジュール１２やバッフル部材６を取り付ける際に、係止体４６４の高さ方向の位置にかかわらず、係止体４６４の突出部４６４ｂ１、４６４ｂ２とバー状部材２０１の上側保持部２０１ｂとが干渉することがない。
【０１０６】
係止体４６４の突出部４６４ｂ１、４６４ｂ２を係止孔４１１に係止させる場合には、光源モジュール１２やバッフル部材６を、照明装置１の発光面１ａ側から挿入するようにする。すると、突出部４６４ｂ１、４６４ｂ２の傾斜部の作用により、突出部４６４ｂ１、４６４ｂ２が光源モジュール１２やバッフル部材６の内部に収納され、突出部４６４ｂ１、４６４ｂ２が係止孔４１１のそれぞれの孔４１１ａ、４１１ｂの位置に達した際に再び突出して、突出部４６４ｂ１、４６４ｂ２が係止孔４１１のそれぞれの孔４１１ａ、４１１ｂに挿入される。この様にして、光源モジュール１２やバッフル部材６が係止される。
【０１０７】
この際、係止孔４１１の孔４１１ａ、４１１ｂの寸法は、係止体４６４の突出部４６４ｂ１、４６４ｂ２の寸法よりもそれぞれ僅かに長くなっているので、係止された光源モジュール１２やバッフル部材６のガタツキを抑制することができる。  
また、同じ部品である係止体４６４を用いて、光源モジュール１２とバッフル部材６とを、本体２に着脱できる。そのため、光源モジュール１２を本体２に着脱させるときと、バッフル部材６を本体２に着脱させるときとの作業を同様の操作で行うことができるので、作業性を向上できる。さらに、部品共通化によるコスト低減も図れる。
【０１０８】
以上に例示をした照明装置１においては、光源モジュール１２及びバッフル部材６は、係止体を介して本体２に着脱自在に取り付けられている。そのため、光源モジュール１２及びバッフル部材６を本体２に対して容易に着脱することができる。
【０１０９】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【０１１０】
１  照明装置、２  本体、３  外枠、４  落下防止金具、４ａ  フランジ部、６  バッフル部材、１１ａ〜１１ｃ  係止孔、１１ａ１  係止部、１１ａ２  挿入部、１２  光源モジュール、１３  光源収納部、１５  光源ユニット、１７  発光素子、６４  係止体、１１１  係止孔、１１１ａ  係止部、１６４  係止体、１６４ａ  孔、１６４ｂ  取付部、１６４ｃ  突出部、２００  システム天井、２０１  バー状部材、２０１ａ  下側保持部、２０１ｂ  上側保持部、２１１ａ〜２１１ｃ  係止孔、２６４  係止体、２６４ａ  本体、２６４ｂ  バネ、２６４ｃ  突出部、２６４ｄ  つまみ、３１１ａ〜３１１ｃ  係止孔、３６４  係止体、３６４ａ  取付部、３６４ｂ  突出部、３６４ｂ１  傾斜部、３６４ｂ２  受け部、４１１  係止孔、４１１ａ  孔、４１１ｂ  孔、４６４  係止体、４６４ａ  取付部、４６４ｂ１  突出部、４６４ｂ２  突出部
【図２】
2014011062.tif 000003
【図１７】
2014011062.tif 000004
【図１８】
2014011062.tif 000005
【図２１】
2014011062.tif 000006
【図２３】
2014011062.tif 000007
【図２８】
2014011062.tif 000008
【図１】
2014011062.tif 000009
【図３】
2014011062.tif 000010
【図４】
2014011062.tif 000011
【図５】
2014011062.tif 000012
【図６】
2014011062.tif 000013
【図７】
2014011062.tif 000014
【図８】
2014011062.tif 000015
【図９】
2014011062.tif 000016
【図１０】
2014011062.tif 000017
【図１１】
2014011062.tif 000018
【図１２】
2014011062.tif 000019
【図１３】
2014011062.tif 000020
【図１４】
2014011062.tif 000021
【図１５】
2014011062.tif 000022
【図１６】
2014011062.tif 000023
【図１９】
2014011062.tif 000024
【図２０】
2014011062.tif 000025
【図２２】
2014011062.tif 000026
【図２４】
2014011062.tif 000027
【図２５】
2014011062.tif 000028
【図２６】
2014011062.tif 000029
【図２７】
2014011062.tif 000030